(57)【要約】【課題】ペダルアームを中空構造とする際の溶接を不要とした構成で、実用的な強度を維持しつつ軽量化が可能な車両用ペダルを提供する。【解決手段】車両用ペダル１０は、運転者の足で操作される踏部１２と、踏部１２が先端に設けられ、基端側に車体に対して回動可能に支持される被支持部１８が設けられたペダルアーム１４と、を備えている。ペダルアーム１４は、周方向に継ぎ目の無い金属管２８にて構成され、基端側に、ペダルアーム１４の先端側の部位よりも外周長が長く且つ肉厚の薄い拡管部２４が形成されている。【選択図】        図３
2018151780.tif 000002
【特許請求の範囲】
【請求項１】
運転者の足で操作される踏部と、
該踏部が先端側に設けられ、基端側に車体に対して回動可能に支持される被支持部が設けられたペダルアームと、を備え、
該ペダルアームは、周方向に継ぎ目の無い金属管状に構成され、基端側に、該ペダルアームの先端側の部位よりも外周長が長く且つ肉厚の薄い拡管部が形成されていることを特徴とする車両用ペダル。
【請求項２】
前記ペダルアームの前記拡管部から先端側に向かって、該拡管部よりも外周長が短い連結管部と、該連結管部よりも更に先端側に位置し該連結管部よりも外周長が短く且つ肉厚の厚い縮管部と、が形成されていることを特徴とする請求項１に記載の車両用ペダル。
【請求項３】
前記ペダルアームは、横断面形状が略長円形の部位と、横断面形状が略真円形の部位とを組合せた構成であることを特徴とする請求項１，２の何れか一項に記載の車両用ペダル。
【請求項４】
前記ペダルアームは、基端側に、前記被支持部における回動軸と直交する方向を長手方向とする横断面形状が略長円形の前記拡管部が形成され、先端側に、横断面形状が略真円形の前記縮管部が形成されていることを特徴とする請求項３に記載の車両用ペダル。
【請求項５】
前記ペダルアームの先端側における前記踏部との接合部若しくはその近傍に、該ペダルアームの周壁を内外に貫通する貫通孔が形成されていることを特徴とする請求項１〜４の何れか一項に記載の車両用ペダル。
【請求項６】
運転者の足で操作される踏部と、該踏部が先端側に設けられ、基端側に車体に対して回動可能に支持される被支持部が設けられたペダルアームと、を備えた車両用ペダルの製造方法であって、
前記ペダルアームの材料管として、外径及び肉厚が軸方向に一定で、周方向に継ぎ目の無い金属管を用い、該金属管の基端側を拡径変形させて拡管部を形成するとともに、先端側を縮径変形させて縮管部を形成するか、若しくは、先端側の対向する一対の周壁部を押圧変形させて扁平部を形成し、更に前記拡管部を、前記被支持部における回動軸と直交する方向を長手方向とする略長円形状に扁平化させることを特徴とする車両用ペダルの製造方法。
【発明の詳細な説明】
【技術分野】
【０００１】
この発明は、自動車のブレーキペダルやクラッチペダルに用いられる車両用ペダル及びその製造方法に関する。
【背景技術】
【０００２】
自動車のブレーキペダルやクラッチペダルに用いられる車両用ペダルは、運転者の足で操作される踏部と、この踏部が先端側に設けられ、基端側に車体に対して回動可能に支持される被支持部が設けられたペダルアームと、を備えている。このような車両用ペダルでは、運転者が踏込み操作を行った際のペダル荷重に対する強度を確保するため、板厚６〜１０ｍｍほどの厚肉の金属板を用いてペダルアームが形成されていた。しかしながらこのような厚肉の金属板を用いたペダルアームは、所定の強度が得やすい一方で、重量が嵩む問題を有している。
【０００３】
これに対し、ペダルアームを中空構造とすることで所定の強度を確保するとともに軽量化を図った車両用ペダルが下記特許文献１に記載されている。この特許文献１に記載のものは、断面略コ字形状にプレス成形された一対の半割部材で、ペダルアームを構成するとともに、これら一対の半割部材を重ね合わせて溶接にて一体化し中空構造としている。
【先行技術文献】
【特許文献】
【０００４】
【特許文献１】特開２００７−１２２６１０号公報
【発明の概要】
【発明が解決しようとする課題】
【０００５】
しかしながら特許文献１に記載のもののように、一対の半割部材を重ね合わせて、溶接にて一体化する、継ぎ目を有する構造にあっては、半割部材同士を一体化させるための溶接の工程が必須となるため、溶接に伴なう製造コストの上昇や、溶接歪み等の加工上の問題が生じてしまう。
本発明は以上のような事情を背景とし、ペダルアームを中空構造とする際の溶接を不要とした構成で、実用的な強度を維持しつつ軽量化が可能な車両用ペダル及びその製造方法を提供することを目的としてなされたものである。
【課題を解決するための手段】
【０００６】
本発明の車両用ペダルは、運転者の足で操作される踏部と、
該踏部が先端側に設けられ、基端側に車体に対して回動可能に支持される被支持部が設けられたペダルアームと、を備え、
該ペダルアームは、周方向に継ぎ目の無い金属管状に構成され、基端側に、該ペダルアームの先端側の部位よりも外周長が長く且つ肉厚の薄い拡管部が形成されていることを特徴とする。
本発明の車両用ペダルによれば、金属管の肉厚を薄くし、軽量化した場合であっても、ペダルアームが中空構造であるため、実用的な強度を維持することができる。また本発明の車両用ペダルは、ペダルアームが周方向に継ぎ目の無い金属管状に構成されており、一対の半割部材同士を重ね合わせる構造を採用した際に必須であった一体化のための溶接を不要とすることができる。ここで、本発明における周方向とは、金属管状に構成されたペダルアームの管軸周りの方向である。
【０００７】
更に本発明の車両用ペダルは、ペダルアームの基端側に、ペダルアームの先端側の部位よりも外周長が長く且つ肉厚の薄い拡管部を形成したことを特徴とするものである。高い剛性が要求されるペダルアームの基端側については、ペダルアームの先端側の部位よりも外周長が長く且つ肉厚の薄い拡径部を形成することで、重量の増加を抑制しつつ剛性を高めることができる。
【０００８】
また本発明の車両用ペダルでは、ペダルアームの拡管部よりも先端側の部位に、拡管部よりも外周長が短い連結管部と、連結管部よりも更に先端側に位置し連結管部よりも外周長が短く且つ肉厚の厚い縮管部と、を形成することができる（請求項２）。基端側ほどの剛性が要求されないペダルアームの先端側については、外周長の短い、即ち細径の縮管部を形成することで、車両取付状態におけるペダルアームの後方向（車両の後方向）に位置する運転者の足先や、ペダルアームの前方向（車両の前方向）に位置するダッシュパネル若しくは床面（フロアマット）との干渉を回避することができる。
【０００９】
また本発明の車両用ペダルでは、ペダルアームを、横断面形状が略長円形の部位と、横断面形状が略真円形の部位とを組合せた構成とすることができる（請求項３）。横断面形状を略長円形とすることで、特定の座標軸方向の断面係数が高められ、ペダルアームの剛性を向上させることができる。ここで略長円形とは、長円形のほか、長手方向を有する矩形や角丸四角形が含まれる。
ところで、車両用ペダルでは、運転者の足先や、車両側のダッシュパネル若しくは床面等との干渉を避けるための曲げ加工が必要となることから、ペダルアームには良好な曲げ加工性が求められる。このため特定方向の剛性を高める必要がない部位については、横断面形状を、曲げ加工性に優れる略真円形とすることが望ましい。ここで略真円形とは、直径の最大値及び最小値の偏差が概略１０％未満の円形である。
【００１０】
ここで本発明の車両用ペダルでは、ペダルアームの基端側に、被支持部における回動軸と直交する方向を長手方向とする横断面形状が略長円形の拡管部を形成し、先端側に、横断面形状が略真円形の縮管部を形成することができる（請求項４）。ペダルアームの基端側に、被支持部における回動軸と直交する方向を長手方向とする略長円形の拡管部を形成すれば、ペダル荷重が作用する前後の方向に高い剛性を得ることができる。一方、車体側のレイアイトに応じて曲げ加工が施されるペダルアームの先端側については、曲げ加工性を確保するために横断面形状を略真円形とすることが望ましい。
【００１１】
本発明ではまた、ペダルアームの先端側における踏部との接合部若しくはその近傍に、ペダルアームの周壁を内外に貫通する貫通孔を形成しておくことができる（請求項５）。このようにすることで、塗装工程においてペダルアーム内に流入した塗料を、貫通孔を通じて外部に排出することができる。
【００１２】
次に本発明の車両用ペダルの製造方法は、運転者の足で操作される踏部と、該踏部が先端側に設けられ、基端側に車体に対して回動可能に支持される被支持部が設けられたペダルアームと、を備えた車両用ペダルの製造方法であって、
前記ペダルアームの材料管として、外径及び肉厚が軸方向に一定で、周方向に継ぎ目の無い金属管を用い、該金属管の基端側を拡径変形させて拡管部を形成するとともに、先端側を縮径変形させて縮管部を形成するか、若しくは、先端側の対向する一対の周壁部を押圧変形させて扁平部を形成し、更に前記拡管部を、前記被支持部における回動軸と直交する方向を長手方向とする略長円形状に扁平化させることを特徴とする。
このような製造方法によれば、汎用の金属管を用いて上記の車両用ペダルを製造することができる。また、ペダルアームを構成する金属管に対し基端側での拡径変形と先端側での縮径変形とを併用することで、ペダルアームの基端側と先端側との周長の差を大きなものとすることができ、基端側での剛性の確保と、先端側での周辺部位との干渉回避の両立を図ることができる。尚、ペダルアームの先端側については、縮径変形による縮管部に代えて、一対の周壁部を押圧変形させた扁平部を形成することで、周辺部位との干渉回避を図ることも可能である。
【発明の効果】
【００１３】
以上のような本発明によれば、ペダルアームを中空構造とする際の溶接による継ぎ目を不要とした構成で、実用的な強度を維持しつつ軽量化が可能な車両用ペダル及びその製造方法を提供することができる。
【図面の簡単な説明】
【００１４】
【図１】本発明の一実施形態のブレーキペダルを示した斜視図である。
【図２】図１のブレーキペダルを、図１とは異なる方向から示した斜視図である。
【図３】（Ａ）は図１のブレーキペダルの正面図である。（Ｂ）〜（Ｆ）はペダルアームの軸方向位置が異なる部位での横断面形状を示した図である。
【図４】図１のブレーキペダルの側面図である。
【図５】図１のブレーキペダルの平面図である。
【図６】図１のブレーキペダルの製造方法の説明図である。
【図７】図６に続く製造方法の説明図である。
【図８】本発明の他の実施形態のブレーキペダルの要部を示した図である。
【発明を実施するための形態】
【００１５】
次に本発明の一実施形態の車両用ペダルを、図面に基づいて説明する。尚、図４，５における「前方向」及び「後方向」は、「車両の前方向」及び「車両の後方向」を示し、また図３，８における「左方向」及び「右方向」は、「車両の左方向」及び「車両の右方向」を示している。
【００１６】
図１〜５において、１０は車両用ペダルとしてのブレーキペダルである。ブレーキペダル１０は、ペダルアーム１４と、運転者の足で操作される踏部１２とを備えている。
【００１７】
踏部１２は、左右方向に幅広の金属板で構成されている。踏部１２は、図４に示すように側面視で中央部が後方向（車両の後方向）に膨らんだ湾曲形状をなし、踏面１２ａが斜め上向きとなるようにペダルアーム１４の先端側に溶接接合されている。
【００１８】
ペダルアーム１４は、周方向に継ぎ目の無い中空の金属管で構成されている。ペダルアーム１４の基端側（図中上側）は、左右方向に対向する周壁が扁平化され、一対の平坦部１５ａ、１５ｂが形成されている。平坦部１５ａ、１５ｂの基端（図中上端）近傍には第１の通孔１６ａ、１６ｂが穿設されている。これら第１の通孔１６ａ、１６ｂには円筒状のカラー１８が挿通され、カラー１８はペダルアーム１４に溶接接合されている。車両組付状態において、カラー１８の内部を車体側の支軸（図示省略）が挿通する。本例では、カラー１８が車体に対して回動可能に支持される被支持部として機能する。
【００１９】
また、一対の平坦部１５ａ、１５ｂにおける第１の通孔１６ａ、１６ｂよりも、下方の位置には、一対の第２の通孔２０ａ、２０ｂが穿設されている。これら第２の通孔２０ａ、２０ｂには、車両組付状態にてブースターに向かって延びるロッド（図示省略）が接続される。
【００２０】
このペダルアーム１４は、材料管として、外径及び肉厚が軸方向に一定の金属管が用いられ、その一端側（基端側）に拡径加工が施され、また他端側（先端側）に縮径加工が施されている。
【００２１】
図３において、２１は、ペダルアーム１４の先端近くに形成された原管部で、上記材料管の外径及び肉厚がそのまま維持されている部位である。この原管部２１における軸直交方向の横断面形状は、図３（Ｃ）に示すように外径Φ３４ｍｍの略真円形である。
【００２２】
ペダルアーム１４における原管部２１よりも先端側の位置には、材料管を縮径変形させて得た縮管部２２が形成されている。この縮管部２２は、原管部２１に対し外周長が短く、そして肉厚が厚くなるように形成されている。ここで、拡管部２４と縮管部２２との間に位置しこれらを繋ぐ原管部２１は、本発明における連結管部に相当するものである。
縮管部２２は、軸方向の先端に向かってその外周長（外径）が変化するテーパ状の第１縮管部２２ａと、第１縮管部２２ａよりも先端側に位置し外周長（外径）が一定の第２縮管部２２ｂとを有している。本例における第２縮管部２２ｂの横断面形状は、図３（Ｂ）に示すように外径Φ２５ｍｍの略真円形とされており、第２縮管部２２ｂでの原管部２１に対する外周長の変化率は約２６％である。そして、原管部２１及び縮管部２２を含むペダルアーム１４の先端側の部位は、左後方向に曲げられて、その先端に踏部１２が溶接接合されている。
【００２３】
このようにペダルアーム１４の先端側に外径の小さい縮管部２２を形成することで、本実施形態ではペダルアーム１４の後側に位置する運転者の足先や、ペダルアーム１４の前側に位置するダッシュパネルや床面との干渉を回避することができる。
【００２４】
一方、原管部２１よりも基端側（図中上側）の位置には、金属管を拡径変形させて得た拡管部２４が形成されている。拡管部２４は、原管部２１に対し外周長が長く、そして肉厚が薄くなるように形成されている。本例における拡管部２４の横断面形状は、図３の（Ｄ）、（Ｅ）、（Ｆ）に示すように、ペダルアーム１４の基端に向かうにつれてその外周長が長く、そして肉厚が薄くなるように形成されている。最も外周長が長いペダルアーム１４の基端（図３（Ｆ）参照）において、原管部２１に対する外周長の変化率は約２０％である。
【００２５】
また拡管部２４の横断面形状は、図５に示すようにペダルの回動方向である前後方向に縦長の長円形をなしている。即ち、拡管部２４の長手方向は、被支持部１８における回動軸Ｃと直交する方向とされている。このように拡管部２４の長手方向をブレーキペダルが回動する前後方向とすることで、ペダルアーム１４の前後方向の断面係数が高められ、大きなペダル荷重が作用した場合のペダルアーム１４の変形をより効果的に抑制することができる。
【００２６】
次に、本実施形態のブレーキペダルの製造方法について説明する。本例では、ペダルアーム１４の材料管として、外径Φ３４．０ｍｍ、厚み２．３ｍｍ、長さ４５０ｍｍの直管状の機械構造用炭素鋼鋼管（ＳＴＫＭ１３Ａ）からなる金属管２８を用いている。
先ず、図６に示す拡径工程において、金属管２８の基端側２８ａを拡径変形させる。この拡径工程では、複数の拡径具３０を用いて金属管２８の基端側２８ａを段階的に拡径変形させる。
【００２７】
ここでは、拡径具３０として、第１拡径具３０Ａと第２拡径具３０Ｂと第３拡径具３０Ｃを用いている。各拡径具３０Ａ，３０Ｂ，３０Ｃには、それぞれ金属管２８の内周面を押圧するテーパ状の押圧面３２Ａ、３２Ｂ、３２Ｃが形成されている。これら押圧面の外径は第１拡径具３０Ａが最も小さく、第３拡径具３０Ｃが最も大きく設定されている。
【００２８】
拡径に際しては、図６（Ｉ）で示された未加工の金属管２８において、その先端側２８ｂを、図示を省略する固定部材で固定した状態で、金属管２８の基端側２８ａの端部開口２９に、拡径具を第１拡径具３０Ａ、第２拡径具３０Ｂ、第３拡径具３０Ｃの順に押し込み、段階的に基端側２８ａの拡径を行うことで所定の外周長を備えた拡管部２４が形成される。図６において、各拡径具３０Ａ，３０Ｂ，３０Ｃの下方に記載されている金属管２８は、対応する拡径具３０Ａ，３０Ｂ，３０Ｃで拡径変形させた後の金属管２８の状態を表している。
【００２９】
第３拡径具３０Ｃでは、テーパ状の押圧面３２Ｃが他の拡径具に比べて軸方向に長く設定されており、第３拡径具３０Ｃによる拡径が完了した後、金属管２８の拡管部２４は、図６（IV）で示すようにラッパ状に拡径された状態となる。この時、金属管２８の基端（上端）の外径は約Φ４０ｍｍである。
【００３０】
本実施形態では、以上のような拡径工程により、金属管２８の基端側２８ａに、先端側の部位よりも外周長が長く且つ肉厚の薄い拡管部２４が形成される。尚、本例の拡径工程では、複数の拡径具３０を用いて金属管２８の基端側２８ａを段階的に拡径変形させているが、場合によっては一度の拡径変形によって所定の拡径形状とすることも可能である。
【００３１】
次に、図７に示す縮径工程において、金属管２８の先端側２８ｂを縮径変形させる。この縮径工程では、縮径用の複数のダイス４０を用いて金属管２８の先端側２８ｂを段階的に縮径変形させる。
【００３２】
ここでは縮径用のダイス４０として、第１ダイス４０Ａと第２ダイス４０Ｂとを用いている。各ダイス４０Ａ，４０Ｂには、それぞれ金属管２８の外周面を押圧する押圧面４２Ａ、４２Ｂが形成されている。これら押圧面の内径は第１ダイス４０Ａが大きく、第２ダイス４０Ｂが小さく設定されている。
【００３３】
縮径の際には、先ず金属管２８の先端側２８ｂを第１ダイス４０Ａに押し込み、第１ダイス４０Ａの押圧面４２Ａにて金属管２８の外周面を径方向内方に押圧し、金属管２８の先端側２８ｂを、押圧面４２Ａで規定された径にまで縮径する。次に金属管２８の先端側２８ｂを第２ダイス４０Ｂに押し込んで、金属管２８の先端側２８ｂを押圧面４２Ｂで規定された目的とする径にまで縮径する。図７において、各ダイス４０Ａ，４０Ｂの上方に記載されている金属管２８は、対応するダイス４０Ａ，４０Ｂで縮径変形させた後の金属管２８の状態を表している。図７（III）に示すように、第２ダイス４０Ｂにより縮径された後、金属管２８の先端側２８ｂには、テーパ状の第１縮管部２２ａと、第１縮管部２２ａよりも先端側に位置し外径が一定（本例の場合はΦ２５ｍｍ）の第２縮管部２２ｂとが形成される。尚、縮径時の押込力により金属管２８に座屈が生じる場合には、図７（III）で示すように該当部位の外側に座屈防止用のスリーブ４４を外嵌させて、座屈の発生を防止することも可能である。
【００３４】
ここで示した縮径工程は、金属管２８の軸方向に圧縮力（押込力）を作用させながら縮径変形を行なわせるものであるが、これに代えて金属管２８の軸方向に引張方向の力を作用させながら縮径変形を行なわせることも可能である。この場合には図３（Ｂ）で示す縮管部２２の肉厚の増加（原管部２１の肉厚に対する増加）の程度を抑制することができ、更なる軽量化を実現させることができる。
本実施形態では、以上のように拡径工程及び縮径工程を経て、基端側２８ａが拡径され、先端側２８ｂが縮径された金属管２８が得られる。
【００３５】
次に、金属管２８に対して曲げ加工を施す。本例では第１曲げ部２５、第２曲げ部２６、及び第３曲げ部２７（図３，４参照）に対応する曲げ加工を行い、所定の曲がり形状を得る。
【００３６】
また、上記拡径工程においてラッパ状に拡径変形された金属管２８の基端側２８ａの部位に対しては、扁平化を行う。扁平化の工程では、一対の平坦な加工面を備えた金型により、金属管２８の基端側２８ａの左右方向の周壁を径方向内向きに押圧し、左右方向に対向する一対の平坦部１５ａ，１５ｂを形成するとともに、拡管部２４の横断面形状を長円形とする。このようにすることで所定形状をなしたペダルアーム１４を得ることができる。
尚、本例では拡管部２４の横断面形状を長円形としたが、長手方向を有する矩形や角丸四角形とすることも可能である。また、上記の曲げ加工の工程及び扁平化の工程の順序は、必要に応じて前後させることも可能である。
【００３７】
その後、第１の通孔１６ａ，１６ｂ及び第２の通孔２０ａ，２０ｂの穴明け加工、及びカラー１８及び踏部１２のペダルアーム１４への溶接接合、更に、表面塗装を行いブレーキペダル１０が完成する。
尚、本実施形態では、図２に示すようにペダルアーム１４の先端側における踏部１２との接合部に、ペダルアーム１４の周壁を内外に貫通する貫通孔５０が形成されており、塗装処理の工程においてペダルアーム１４の内部に流入した余剰の塗料は、この貫通孔５０を通じて外部に排出される。
【００３８】
以上のように本実施形態のブレーキペダル１０は、ペダルアーム１４を、周方向に継ぎ目の無い金属管２８にて構成したもので、金属管２８の肉厚を薄くし軽量化した場合であっても、ペダルアーム１４が中空構造であるため、実用的な強度を維持することができる。また、一対の半割部材同士を重ね合わせる構造を採用した際に必須であった一体化のための溶接を不要とすることができる。
【００３９】
また、本実施形態のブレーキペダル１０では、ペダルアーム１４の先端側に外周長の短い縮管部２２が形成され、基端側に外周長の長い拡管部２４が形成されている。高い剛性が要求されるペダルアーム１４の基端側については、外周長の長い拡管部２４を形成することで、剛性を高めることができる。一方、基端側ほどの剛性が要求されないペダルアーム１４の先端側については、外周長の短い、即ち細径の縮管部２２を形成することで、ペダルアーム１４の後側に位置する運転者の足先や、ペダルアームの前側に位置するダッシュパネル等との干渉を回避することができる。
【００４０】
更に本実施形態のブレーキペダル１０では、ペダルアーム１４の基端側に、被支持部１８における回動軸Ｃと直交する方向を長手方向とする長円形状の拡管部２４が形成されていることから、ブレーキペダルが踏み込まれる前後方向の断面係数が高められ、ペダル荷重が作用した場合のペダルの変形をより効果的に抑制することができる。
一方、ペダルアーム１４の先端側には略真円形状の縮管部２２が形成されており、良好な曲げ加工性を確保することができる。
【００４１】
このように構成されたブレーキペダル１０においては、ペダルアーム１４の車幅方向の曲がり量（オフセット量）が６０ｍｍ程の場合で、ペダルアームを８ｍｍの金属板で構成する従来のブレーキペダルと比較して、実用的な強度を維持しつつ３０〜４０％程の軽量化を実現することが可能である。
【００４２】
また本実施形態のブレーキペダル１０の製造方法では、ペダルアーム１４の材料管として、外径及び肉厚が軸方向に一定で、周方向に継ぎ目の無い金属管２８を用い、金属管２８の基端側２８ａを拡径変形させて拡管部２４を形成するとともに、先端側２８ｂを縮径変形させて縮管部２２を形成し、更に拡管部２４を、被支持部１８における回動軸Ｃと直交する方向を長手方向とする長円形状に扁平化させている。このような製造方法によれば、汎用の金属管２８を材料管として、実用的な強度を維持しつつ軽量化が可能なブレーキペダル１０を製造することができる。また、拡径変形と縮径変形とを併用することで、ペダルアーム１４の基端側と先端側との外周長の差を大きくすることができる。このため、基端側での剛性の確保と、先端側での周辺部位との干渉回避の両立を図ることができる。
【００４３】
図８は、本発明の他の実施形態の要部を示した図である。同図に示すように本例のブレーキペダル１０Ｂは、ペダルアーム１４Ｂの原管部２１よりも先端側に扁平部６０が形成されている。扁平部６０では、図８（Ｂ）で示すように、ペダルアーム１４Ｂの回動方向である前後方向（図４参照）に対向する一対の周壁部６０ａ，６０ｂが、互いに近接するように径方向内向きに押圧されており、それらの外面間の距離ｔは原管部２１の外径寸法よりも小とされている。
【００４４】
上述のようにペダルアーム１４Ｂの先端側においては、運転者の足先や、ダッシュパネル、床面との干渉を回避することが必要である。上記第１の実施形態（ブレーキペダル１０）ではペダルアーム１４の先端側に縮管部２２を形成したが、これに代えて図８（Ｂ）で示す扁平部６０を形成することでも、これら周辺部位との干渉を回避することが可能である。
【００４５】
以上本発明の実施形態を詳述したがこれらはあくまでも一例示である。上記実施形態ではブレーキペダルの場合を例としたが、これに限らず本発明はクラッチペダルに適用することも可能である。また、材料管の材質、外径、肉厚、ペダルアーム及び踏部の形状等は、上記実施形態に限定されるものではなく、同等の効果を奏するものに適宜変更可能である等、本発明は、その趣旨を逸脱しない範囲において様々変更を加えた形態で実施可能である。
【符号の説明】
【００４６】
１０，１０Ｂ  ブレーキペダル（車両用ペダル）
１２  踏部
１４，１４Ｂ  ペダルアーム
１８  カラー（被支持部）
２１  原管部（連結管部）
２２  縮管部
２４  拡管部
２８  金属管
５０  貫通孔
６０  扁平部
６０ａ，６０ｂ周壁部
Ｃ  回動軸
【図１】
2018151780.tif 000003
【図２】
2018151780.tif 000004
【図３】
2018151780.tif 000005
【図４】
2018151780.tif 000006
【図５】
2018151780.tif 000007
【図６】
2018151780.tif 000008
【図７】
2018151780.tif 000009
【図８】
2018151780.tif 000010
【手続補正書】
【提出日】平成30年5月11日(2018.5.11)
【手続補正１】
【補正対象書類名】特許請求の範囲
【補正対象項目名】全文
【補正方法】変更
【補正の内容】
【特許請求の範囲】
【請求項１】
運転者の足で操作される踏部と、
該踏部が先端側に設けられ、基端側に車体に対して回動可能に支持される被支持部が設けられたペダルアームと、を備え、
該ペダルアームは、周方向に継ぎ目の無い金属管状に構成され、基端側に、該ペダルアームの先端側の部位よりも外周長が長く且つ肉厚の薄い拡管部が、基端に向かうにつれてその外周長が長く、そして肉厚が薄くなるように形成され、
前記ペダルアームの前記拡管部から先端側に向かって、該拡管部よりも外周長が短い連結管部と、該連結管部よりも更に先端側に位置し該連結管部よりも外周長が短く且つ肉厚の厚い縮管部と、が形成されていることを特徴とする車両用ペダル。
【請求項２】
前記拡管部は、前記ペダルアームの軸方向長さの少なくとも１／２以上に亘って形成されていることを特徴とする請求項１に記載の車両用ペダル。
【請求項３】
前記ペダルアームは、基端側に、前記被支持部における回動軸と直交する方向を長手方向とする横断面形状が略長円形の前記拡管部が形成され、先端側に、横断面形状が略真円形の前記縮管部が形成されていることを特徴とする請求項１，２の何れか一項に記載の車両用ペダル。
【請求項４】
前記ペダルアームの先端側における前記踏部との接合部若しくはその近傍に、該ペダルアームの周壁を内外に貫通する貫通孔が形成されていることを特徴とする請求項１〜３の何れか一項に記載の車両用ペダル。
【請求項５】
運転者の足で操作される踏部と、該踏部が先端側に設けられ、基端側に車体に対して回動可能に支持される被支持部が設けられたペダルアームと、を備えた車両用ペダルの製造方法であって、
前記ペダルアームの材料管として、外径及び肉厚が軸方向に一定で、周方向に継ぎ目の無い金属管を用い、該金属管の基端側を拡径変形させて原管部よりも外周長が長く且つ肉厚の薄い拡管部を、基端に向かうにつれてその外周長が長く、そして肉厚が薄くなるように形成するとともに、先端側を縮径変形させて前記原管部よりも外周長が短く且つ肉厚の厚い筒状の縮管部を形成するか、若しくは、先端側の対向する一対の周壁部を押圧変形させて扁平部を形成し、更に前記拡管部を、前記被支持部における回動軸と直交する方向を長手方向とする略長円形状に扁平化させることを特徴とする車両用ペダルの製造方法。
【手続補正２】
【補正対象書類名】明細書
【補正対象項目名】０００８
【補正方法】変更
【補正の内容】
【０００８】
更に本発明の車両用ペダルでは、ペダルアームの拡管部よりも先端側の部位に、拡管部よりも外周長が短い連結管部と、連結管部よりも更に先端側に位置し連結管部よりも外周長が短く且つ肉厚の厚い縮管部と、を形成する。基端側ほどの剛性が要求されないペダルアームの先端側については、外周長の短い、即ち細径の縮管部を形成することで、車両取付状態におけるペダルアームの後方向（車両の後方向）に位置する運転者の足先や、ペダルアームの前方向（車両の前方向）に位置するダッシュパネル若しくは床面（フロアマット）との干渉を回避することができる。
【手続補正３】
【補正対象書類名】明細書
【補正対象項目名】０００９
【補正方法】変更
【補正の内容】
【０００９】
また本発明の車両用ペダルでは、ペダルアームを、横断面形状が略長円形の部位と、横断面形状が略真円形の部位とを組合せた構成とすることができる。横断面形状を略長円形とすることで、特定の座標軸方向の断面係数が高められ、ペダルアームの剛性を向上させることができる。ここで略長円形とは、長円形のほか、長手方向を有する矩形や角丸四角形が含まれる。
ところで、車両用ペダルでは、運転者の足先や、車両側のダッシュパネル若しくは床面等との干渉を避けるための曲げ加工が必要となることから、ペダルアームには良好な曲げ加工性が求められる。このため特定方向の剛性を高める必要がない部位については、横断面形状を、曲げ加工性に優れる略真円形とすることが望ましい。ここで略真円形とは、直径の最大値及び最小値の偏差が概略１０％未満の円形である。
【手続補正４】
【補正対象書類名】明細書
【補正対象項目名】００１０
【補正方法】変更
【補正の内容】
【００１０】
ここで本発明の車両用ペダルでは、ペダルアームの基端側に、被支持部における回動軸と直交する方向を長手方向とする横断面形状が略長円形の拡管部を形成し、先端側に、横断面形状が略真円形の縮管部を形成することができる。ペダルアームの基端側に、被支持部における回動軸と直交する方向を長手方向とする略長円形の拡管部を形成すれば、ペダル荷重が作用する前後の方向に高い剛性を得ることができる。一方、車体側のレイアイトに応じて曲げ加工が施されるペダルアームの先端側については、曲げ加工性を確保するために横断面形状を略真円形とすることが望ましい。
【手続補正５】
【補正対象書類名】明細書
【補正対象項目名】００１１
【補正方法】変更
【補正の内容】
【００１１】
本発明ではまた、ペダルアームの先端側における踏部との接合部若しくはその近傍に、ペダルアームの周壁を内外に貫通する貫通孔を形成しておくことができる。このようにすることで、塗装工程においてペダルアーム内に流入した塗料を、貫通孔を通じて外部に排出することができる。